Podtech/llm-jp-corpus-v4-ja_patent huggingface dataset:
(57)【要約】      （修正有）【課題】釉薬処理が施されていない部分であっても、釉薬処理されたものに似た耐水性、耐汚染性、耐薬品性に優れた陶磁器を提供する。【解決手段】表面に釉薬処理が施された陶磁器Ａであって、前記釉薬処理が施されていない素地部分２にガラスコーティング材を塗布することにより硬質ガラス皮膜３を形成してなる。ガラスコーティング材としては、一般に市販されているシリカを主成分として常温で刷毛若しくはスプレー等で塗布することが可能な液状タイプを用いる。【選択図】図１
0003132537.tif 000002
【実用新案登録請求の範囲】
【請求項１】
表面に釉薬処理が施された陶磁器であって、前記釉薬処理が施されていない素地部分にガラスコーティング材を塗布することにより硬質ガラス皮膜を形成してなることを特徴とする陶磁器。
【考案の詳細な説明】
【技術分野】
【０００１】
本考案は、茶碗等の陶器製食器や磁器製急須等或いは土瓶等の陶磁器に関するものである。
【背景技術】
【０００２】
陶磁器は、成形した素地を乾燥した後に、水の浸み込みを防止すると同時に強度を向上させ且つ美しくするために、表面に釉薬を塗布して高温で焼成して作られるが、釉薬処理は素地の全面に施されるわけではない。即ち、例えば茶碗の底（糸底部分）とか土瓶類の身の淵や蓋の裏側等は通常釉薬処理が施されない。その理由は、焼成する際に釉薬が素地よりも早く焼き締まるため、上下左右に重なり隣接する部分や、素地を載せて焼成する時に使用する棚と釉薬とが溶け合って結合することにより不良品になるからである。
【０００３】
当然のことながら、釉薬処理が施されていない部分は素地が露出するために、耐水性、耐汚染性、耐薬品性に劣り、当該部分に茶渋等の汚れが付着しやすくなり、不衛生でもあった。
尚、本願出願人が知っている上記の先行技術は、文献公知考案に係るものではないため本願明細書には先行技術文献情報を開示しない。
【考案の開示】
【考案が解決しようとする課題】
【０００４】
本考案はこのような現状に鑑みてなされたものであり、釉薬処理が施されていない部分であっても、耐水性、耐汚染性、耐薬品性を発揮しえる陶磁器を提供せんとするものである。
【課題を解決するための手段】
【０００５】
斯かる目的を達成する本考案の陶磁器は、表面に釉薬処理が施された陶磁器であって、前記釉薬処理が施されていない素地部分にガラスコーティング材を塗布することにより硬質ガラス皮膜を形成してなることを特徴としたものである。
すなわち、従前通り素焼きの表面に釉薬処理を施し高温で焼成して形成された陶磁器に、前記釉薬処理が施されていない素地部分に常温でガラスコーティング材を塗布することにより、塗布後に格別焼成せずとも当該部分に、釉薬処理されたものに似た硬質ガラス皮膜を形成してなるものである
【考案の効果】
【０００６】
本考案に係る陶磁器によれば、釉薬処理が施されていない素地部分にガラスコーティング材を塗布することにより硬質ガラス皮膜を形成してなるので、硬質ガラス皮膜が形成された部分は釉薬処理が施された部分に似て、耐水性、耐汚染性、耐薬品性に優れたものとなり、その結果、陶磁器全体として耐水性、耐汚染性、耐薬品性に優れたものなる。
【考案を実施するための最良の形態】
【０００７】
以下、本考案の具体的な好適実施例を、茶碗を模した図面を参照しながら詳細に説明するが、本考案は図示した実施例のものに限定されるものではない。
【０００８】
図中の符号Ａは茶碗本体を示す。
陶磁器本体Ａは、通常の通り、素焼き成形されたものの表面に釉薬処理を施し高温で焼成して形成される。図面で符号１は釉薬処理が施された部分を示し、符号２は釉薬処理が施されていない糸底部分を示す。
【０００９】
釉薬処理が施されていない糸底部分２は素地が露出した状態となっているので、当該部分にガラスコーティング材を塗布することにより硬質ガラス皮膜３を形成する。この際、ガラスコーティング材は、釉薬処理が施されていない例えば糸底部分２全体、すなわち陶磁器本体Ａにおいて素地が露出した部分全体にむらなく塗布することが望ましい。
【００１０】
ガラスコーティング材としては、一般に市販されているシリカを主成分とし常温で刷毛若しくはスプレー等で塗布することが可能な液状タイプを用いる。ガラスコーティング材は、塗布した後乾燥すると硬質ガラス皮膜となり、ガラスコーティング材を塗布した部分に硬質ガラス皮膜が形成される。
【図面の簡単な説明】
【００１１】
【図１】本考案実施の一例を示す正面図。
【符号の説明】
【００１２】
Ａ：陶磁器本体
１：釉薬処理が施された部分
２：糸底部分（釉薬処理が施されていない部分）
３：硬質ガラス皮膜
【図１】
0003132537.tif 000003
(57)【要約】【課題】洗濯が可能で、着用時の見栄えや動き易さを損なうことなく下肢を温めることのできる防寒用タイツ１０を提供すること。【解決手段】タイツ本体１１にポケット１１ａ，１１ｂを形成し、ポケット１１ａ，１１ｂに可撓性を有する面状発熱体１２を取り外し可能に装着する。面状発熱体１２をポケット１１ａ，１１ｂから取り外すことができるので、汗や埃等で汚れたタイツ本体１１を洗濯することが可能となる。面状発熱体ぬふに可撓性を有するものを用いるので、タイツ１０を着用したとき下肢に沿って撓む。このため下肢に密接するので、下肢を効果的に温めることができる。さらに、可撓性を有するので、着用時に下肢の動きの妨げにならず、動き易いので、ゴルフ等の運動時にも着用できる。【選択図】図１
0003132577.tif 000002
【実用新案登録請求の範囲】
【請求項１】
ポケットを備え、該ポケットに可撓性を有する面状発熱体を取り外し可能に装着したことを特徴とする防寒用タイツ。
【請求項２】
大腿部の前側を被覆する部位に前記ポケットを形成したことを特徴とする請求項１に記載の防寒用タイツする。
【請求項３】
下腿部の前側を被覆する部位に前記ポケットを形成したことを特徴とする請求項１に記載の防寒用タイツ。
【考案の詳細な説明】
【技術分野】
【０００１】
本考案は、防寒用タイツに関する。
【背景技術】
【０００２】
胴体を温めることのできる防寒衣服として、実開昭６２−９７１０８号公報及び特公平５−６１３６１号公報には可撓性を有する面状発熱体を縫着したベストが記載されている。
また、下肢を温めることのできる防寒衣服として、実用新案登録第２５０６１０８号公報には電気ヒータ線を内蔵した防寒ズボンが記載されている。
【特許文献１】実開昭６２−９７１０８号公報
【特許文献２】特公平５−６１３６１号公報
【特許文献３】実用新案登録第２５０６１０８号公報
【考案の開示】
【考案が解決しようとする課題】
【０００３】
上記の防寒衣服はいずれも熱源となる面状発熱体もしくは電気ヒータ線が衣服に固着されているので、衣服が汚れても洗濯することができない。
また、下肢を温めることのできる防寒ズボンは電気ヒータを内蔵しているため嵩張るうえに、柔軟性も損なわれる。そのため、着用時の見栄えが良くないだけでなく、動き難い。
【０００４】
本考案はかかる問題点に鑑み、洗濯が可能で、着用時の見栄えや動き易さを損なうことなく下肢を温めることのできる防寒用タイツを提供することを目的とする。
【課題を解決するための手段】
【０００５】
本考案は上記目的を達成するため、防寒用タイツであってポケットを備え、該ポケットに可撓性を有する面状発熱体を取り外し可能に装着したことを特徴とする。
【０００６】
そして、好ましくは大腿部の前側を被覆する部位に前記ポケットを形成する。
また、好ましくは下腿部の前側を被覆する部位に前記ポケットを形成する。
【考案の効果】
【０００７】
本考案に係るタイツはポケットに装着した面状発熱体によって下肢を温めることができる。
しかして、本考案に係るタイツによれば、面状発熱体をポケットから取り外すことができるので、汗や埃等で汚れたタイツを洗濯することが可能となる。
【０００８】
また、面状発熱体に可撓性を有するものを用いたので、タイツを着用したとき下肢に沿って撓む。このため下肢に密接するので、下肢を効果的に温めることができる。
さらに、可撓性を有するので、着用時に下肢の動きの妨げにならず、動き易いので、ゴルフ等の運動時にも着用できる。
そのうえ、タイツはその上からズボンを履くことで隠すことができるうえに、面状発熱体が下肢に密接するので、タイツの上からズボンを履いたときズボンが発熱体によって膨らむことがない。従って、タイツの着用により見栄えを損なうことがない。
【０００９】
また、ポケットを大腿部の前側を被覆する部位もしくは下腿部の前側を被覆する部位に形成して面状発熱体を装着すれば、発熱体が下肢の動きの妨げとなり難く、動きの激しい運動を行うときにも着用可能となる。
【実施例１】
【００１０】
以下に本考案を図面に基づき説明する。図１には、本発明の一実施例に係る防寒用タイツ１０が示されている。当該防寒用タイツはタイツ本体１１、面状発熱体１２及びコントローラ１３から構成される。
【００１１】
タイツ本体１１は着用時、下肢に密着するように伸縮性素材、例えば昆率がポリエステル８２％、ポリウレタン１８％で３０デニールの糸から成り、目付２５０．０ｇ／ｍ２、２８ゲージのトリコット編み地を用いて縫製されている。
【００１２】
タイツ本体１１には大腿部の前側を被覆する部位１１ａと、下腿部の前側を被覆する部位１１ｂにそれぞれ縦長の腿ポケット１１ｃと臑ポケット１１ｄが形成されている。腿ポケット１１ｃと臑ポケット１１ｄは下肢の屈伸の妨げとならないように、タイツ本体１１の膝当たり部分１１ｅの上下両側に位置するように縫製されている。
【００１３】
面状発熱体１２は布基材にカーボン等の導電性樹脂剤を含浸させた可撓性を有する樹脂含浸シートの両側に電極を形成した構造を備え、この電極に電源を接続して発熱させることができる。この種の面状発熱体として、例えば特開２００２−３０５０７２号公報や特開平１１−２１４１３１号公報に記載されている構造のものを用いることができる。
【００１４】
面状発熱体１２は腿ポケット１１ａ又は臑ポケット１１ｂに出し入れ可能に装着される。この面状発熱体１１とコントローラ１３はリード線１４で接続されている。コントローラ１３には電源電池として充電により繰り返し使用可能なリチウム電池が内蔵されている。また、コントローラ１３には電源スイッチ、各面状発熱体の温度をコントロールする温度調節機能、各面状発熱体の発熱時間をコントロールするタイマ機能、電源電池の残量表示機能等が備えられている。
【００１５】
本実施例に係る防寒用タイツ１０の構造は以上の通りであって、例えば両方の腿ポケット１１ａと臑ポケット１１ｂにそれぞれ面状発熱体１２を装着して着用し、コントローラ１３はベルトに係止して装着する。電源スイッチを入れると、面状発熱体１２が予め設定した温度まで上昇するので、これにより下肢を温めることができる。
【００１６】
本実施例に係る防寒タイツ１０は汗や埃等で汚れた場合、面状発熱体１２をポケット１１ａ，１１ｂから取り外して洗濯すれば、汚れを落とすことができる。
【００１７】
とくに、面状発熱体１２は可撓性を有するので、タイツ１０を着用したとき大腿部に沿って撓む。このため大腿部に密接するので、大腿部を効果的に温めることができる。また、可撓性を有するので、着用時に下肢の動きの妨げにならず、動き易いので、冬季のゴルフや渓流釣り等の際にも着用できる。
【００１８】
そのうえ、タイツ１０はその上からズボンを履くことで隠すことができるうえに、面状発熱体１２が下肢に密接するので、タイツの上からズボンを履いたときズボンが発熱体１２によって膨らむことがない。従って、タイツ１０の着用により見栄えを損なうことがない。
【図面の簡単な説明】
【００１９】
【図１】本考案の一実施例に係る防寒用タイツを示す斜視図である。
【符号の説明】
【００２０】
１０…防寒用タイツ
１１…タイツ本体
１１ａ…腿ポケット
１１ｂ…臑ポケット
１２…面状発熱体
１３…コントローラ
【図１】
0003132577.tif 000003
(57)【要約】      （修正有）【課題】合成樹脂製の書筆であっても、ナイロン毛独特の腰の強さを加減して獣毛と同様な書き味が得られ、しかも、墨含みのよい合成樹脂製の書筆を提供する。【解決手段】合成樹脂製の書筆（Ｘ）において、合成樹脂製毛１で構成された穂２の一部、あるいは全面にヤスリ等の器具を用いて、穂２の表面１ａの毛、あるいは内部１ｂの毛にも、キズ３を形成したことを特徴とする合成樹脂製の書筆から構成される。【選択図】図１
0003132547.tif 000002
【実用新案登録請求の範囲】
【請求項１】
合成樹脂製の書筆（Ｘ）において、合成樹脂製毛（１）で構成された穂（２）の一部、あるいは全面にヤスリ等の器具を用いて、穂（２）の表面（１ａ）の毛、あるいは内部（１ｂ）の毛にも、キズ（３）を形成したことを特徴とする合成樹脂製の書筆。
【考案の詳細な説明】
【技術分野】
【０００１】
この考案は、合成樹脂製の書筆に関するものである。
【背景技術】
【０００２】
従来、毛書筆は、日本古来からの筆記用具のひとつであり、日本の文化の根源である美術において顕著なものであり、特に、書道においては絶対に欠かせない筆記具である。
【０００３】
そして、この毛書筆は、動物の毛を使用する、所謂、獣毛が主流であったが、近年は合成樹脂製（特に、ナイロン）のみを用いたものも使用されている。
【０００４】
このナイロン毛書筆は、穂のまとまりがよく、耐久性に優れたおり、しかも、使用後の後始末も楽に行えるという、大変なメリットも存在するが、ナイロン毛書筆には独特の強さがあり、図４に示すように、書き味（例えば、ハネ、ハライ等）が獣毛筆に比べて劣り、また、水分の含みがないため、墨付けの回数が多くなる等の欠点があった。
【考案の開示】
【考案が解決しようとする課題】
【０００５】
そこで、この考案は、これらの欠点を除去すべく考案されたものであり、合成樹脂製の書筆であっても、獣毛に近い書き味が得られ、しかも、墨含みのよい合成樹脂製の書筆を開発・製造することにある。
【課題を解決するための手段】
【０００６】
そこで、この考案は、これらの欠点を除去すべく考案されたものであり、合成樹脂製の書筆において、穂にヤスリ等の器具でキズを付け、穂の弾力や書き味を筆の使用目的に合わせてキズの度合いを調整する合成樹脂製の書筆を開発・製造することにある。
【考案の効果】
【０００７】
本考案によると、合成樹脂製の穂に、ヤスリ等の器具でキズ（３）を付け、穂（２）の弾力や書き味を調整することにより、図３に示すように、ハネ、ハライ等の筆使いがよくでき、書き味をよくし、また、キズを付けることにより毛の表面積を拡大し、墨含みがよくなり墨付けの回数が少なくなり、さらに、獣毛のように腐敗がなく、使用後の後始末も大変楽である等極めて有益なる効果を奏するものである。
【０００８】
さらに、その結果、児童の書写学習に適した筆となる。
【考案を実施するための最良の形態】
【０００９】
この考案の一実施例を図面に従って詳述すると、合成樹脂製の書筆（Ｘ）において、合成樹脂製毛（１）で構成する穂（２）の一部、あるいは、全部にヤスリ等の器具を用いて、キズ（３）を形成する合成樹脂製の書筆である。
【実施例】
【００１０】
次に、この考案の一実施例を図面に従って詳述すると、  合成樹脂製の書筆（Ｘ）において、合成樹脂製毛（１）で構成された穂（２）の一部、あるいは全面にヤスリ等の器具を用いて、穂（２）の表面（１ａ）の毛、あるいは内部（１ｂ）の毛にも、キズ（３）を形成したことを特徴とする合成樹脂製の書筆から構成される。
【００１１】
尚、合成樹脂製毛（１）の一例を述べると、ナイロン製の毛であるが、これに限定されることはなく、他の合成樹脂製毛であってもよいものである。
【産業上の利用可能性】
【００１２】
この考案は、合成樹脂製の書筆の製造技術を確立し、かつ、該書筆を製造・販売することによって、産業上の利用可能性を有するものである。
【図面の簡単な説明】
【００１３】
【図１】この考案の一実施例を示し、（ａ）は、穂の一部にキズを着けた状態の一部欠截正面図、（ｂ）は、穂の全部にキズを着けた状態の一部欠截正面図である。
【図２】この考案の一実施例を示し、合成樹脂製毛の一部欠截正面図である。
【図３】この考案の使用状態の説明図であり、本考案の書き味を示した文字である。
【図４】従来例の書き味を示した文字である。
【符号の説明】
【００１４】
１  合成樹脂製毛
１ａ  表面
２  穂
３  キズ
Ｘ  合成樹脂製の書筆
【図１】
0003132547.tif 000003
【図２】
0003132547.tif 000004
【図３】
0003132547.tif 000005
【図４】
0003132547.tif 000006
(57)【要約】【課題】ボイドスラブのコンクリートを打設する際にコンクリート打設時に浮き上がったり横移動することを防ぎ球体ボイドのコンクリートの上下かぶり厚を一致させる為の拘束治具（プロテクター）からなる移動防止金具を提供する。【解決手段】拘束治具の主構成は1個の球体ボイドを包み込む拘束鉄線です。拘束治具の上部片側から伸びる、頂部押鉄線で球体ボイドを押えつける。拘束治具の底部は弧状底鉄線があり、球体ボイドをしっかりと包み込みます。頂部の押鉄線で上部をしっかりと押さえ、円弧側鉄線で横から弧状底鉄線でしたから緊密に球体ボイドを包み込む。【選択図】  図１
0003132586.tif 000002
【実用新案登録請求の範囲】
【請求項１】
中空ボイドスラブ専用の浮力防止金具の一種であり、1つの拘束治具は開いている口が上向きとなり、口から球体ボイドを入れ、片側の頂部押鉄線の長さを口の中心に達する長さとし、拘束治具の下端の弧状底鉄線に球形ボイドを密着させることを特徴とする移動防止金具。
【請求項２】
前記拘束治具の鉄線は互いに溶接固定されていて、浮力による浮上りを拘束することを特徴とする請求項１に記載の移動防止金具。
【考案の詳細な説明】
【技術分野】
【０００１】
本考案は「中空ボイドスラブ」領域に属する。コンクリート打設時に生ずる浮力と横力による球体ボイドの移動を拘束し上下のコンクリートかぶり厚を確保する拘束治具からなる移動防止金具である。
【背景技術】
【０００２】
中空ボイドスラブを施工する際に、球体ボイドが治具内で十分に拘束されてない状態でコンクリートを打設するのが業界で行われてきた方式である。しかるに、図６
、図７にあるとおりコンクリート４を打設する際に生じる浮力Ｆ１と横力Ｆ２により、球体ボイドは拘束治具の緩みがあることから、浮き上がったり横移動したりした。また平行繋鉄線より上に球体ボイド頂部が浮上る例も見られ、球体ボイド上下のコンクリートかぶり厚Ｌ１、Ｌ２が著しく不均等なる品質上の問題があった。それを防ぐため、本考案者は球体ボイドの移動防止専用の「拘束治具」を考案した。この新考案の拘束治具により、球体ボイドはしっかりと拘束され、コンクリート打設時に浮力や横力による移動がなく、所定の位置に保ち上下のコンクリートかぶり厚を同じにでき、スラブの品質を格段に向上させることができる。
【考案の開示】
【考案が解決しようとする課題】
【０００３】
本考案の目的は、球体ボイドをコンクリート打設時に生ずる浮力や横力に抗し所定の位置に拘束しコンクリートの上下かぶり厚の均一性を維持することにある。
【課題を解決するための手段】
【０００４】
本考案の拘束治具から成る移動防止金具により、球体ボイドはしっかりと拘束され、コンクリート打設時に浮力や横力により移動することなく所定の位置に保ちスラブの品質を格段に向上させることができ。したがって、球体ボイドは左右上下で拘束治具に密着拘束されゆるみがなく、所定のコンクリートかぶり厚を維持することが出来る。
【考案を実施するための最良の形態】
【０００５】
図１から図４までに示した通り本考案は、球体ボイドのコンクリート打設時の移動を拘束することが出来る。平行繋鉄線３に、球体ボイド１を抱えた、複数の拘束治具２が溶接されている。本考案の特徴は、球体ボイド１と拘束治具２とがしっかりと密着し、緩みがないことである。
【０００６】
前述のごとく、拘束治具２の構成部品である1対の小円弧状の側円弧鉄線２１は球体ボイド１を両側から包み込みこんでいる。側円弧鉄線２１は球体ボイド１を横から拘束している。拘束治具２の下部部品である弧状底鉄線２２は球体ボイド１と同一半径を持つ弧状の鉄線で、左右の円弧側鉄線２１と最下部で溶接接合されている。
【０００７】
球体ボイド１と1対の円弧状側鉄線２１及び弧状底鉄線２２は密着してゆるみがない。前述のごとく拘束治具２の上部部品である頂部押鉄線２３は片側から丁度球体ボイド１の頂部中心を押さえつけるように調整されていて、上部で球体ボイドと密着しており安定的な拘束効果がある。
図にあるごとく、円弧側鉄線２１は上部で平行繋鉄線３に溶接固定されている、平行繋鉄線３が開かないよう留金物２４で平行繋鉄線の上から掛けて固定する。
【０００８】
図５を参照して下さい。以上の構造によって拘束治具２の円弧側鉄線２１と弧状底鉄線２２及び上部開口側の頂部押鉄線２３とで球体ボイド１をしっかり拘束し緩みが無い。コンクリート打設時の球体ボイド１の浮上りと横移動が拘束され、上下のかぶり厚が均等に維持される。上述の詳細な説明は本考案の実例に即した具体例である。
【０００９】
この実施例が本考案の範囲を制限するものではない。相対効果の実施や変更が、本考案の技術及び技術コンセプトから離れない範囲ですべて本提案の特許範囲に含まれている。
【図面の簡単な説明】
【００１０】
【図１】本考案の移動防止金具の立体図
【図２】本考案の移動防止金具の平面図
【図３】本考案の移動防止金具の右立面図
【図４】本考案の移動防止金具の正面図
【図５】本考案の移動防止金具の応用図
【図６】実施例の立体図
【図７】実施例の浮力と横力を受ける状態を示す図
【符号の説明】
【００１１】
１    球体ボイド
２    拘束治具
２１  円弧側鉄線
２２  弧状底鉄線
２３  頂部押鉄線
２４  留金物
３    平行繋鉄線
４    コンクリート
Ｆ１  浮力
Ｆ２  横力
Ｌ１  コンクリートかぶり厚
Ｌ２  コンクリートかぶり厚
【図１】
0003132586.tif 000003
【図２】
0003132586.tif 000004
【図３】
0003132586.tif 000005
【図４】
0003132586.tif 000006
【図５】
0003132586.tif 000007
【図６】
0003132586.tif 000008
【図７】
0003132586.tif 000009
(57)【要約】  【課題】  安全性の高い配線盤作業用梯子を提供する。  【解決手段】  床面上を走行する車輪５ａで支持させる一方、上端に設けた吊車４の転動ローラ４ａを配線盤Ｂに沿わせて設けた案内レールＲに転動自在に載置し、横木３，…を支持する左右一対の主体杆２，２´の上部各々に取付け具６を組付け、該取付け具６に着脱自在に緊急ロック式の巻取り器１２に取付けた掛止リング１３を掛止する。そして、巻取り器１２に引き出し自在に巻取り収納させ、前記主体杆２の長手方向に沿わせて設けた手すり３の内側に配するベルト１７の、前記巻取り器１２より突出する先端に作業員の胴ベルト１８に着脱自在に取付けるフック１４を設ける。【選択図】    図１
0003132590.tif 000002
【実用新案登録請求の範囲】
【請求項１】
床面上を走行する車輪で支持させる一方、上端に設けた吊車のローラを配線盤に沿わせて設けた案内レールに転動自在に載置した、電話局の配線盤作業用梯子において、横木を支持する左右一対の主体杆の上部各々に取付け具を組付け、該取付け具に着脱自在に取付けた掛止片と作業員の胴部ベルトに着脱自在に取付ける接続片の一方側を、緊急ロック式の巻取り器本体に、他方側を、該巻取り器に引き出し自在に巻取り収納させ、しかも、前記主体杆の長手方向に沿わせて設けた手すりの内側に配せられるベルトの前記巻取り器より突出する先端にそれぞれ設けた、配線盤作業用梯子。
【考案の詳細な説明】
【技術分野】
【０００１】
本考案は、電話局の配線盤に関する作業を行うために、該配線盤の近傍に装置した作業用梯子に関するものである。
【背景技術】
【０００２】
床面上を走行する車輪で支持させる一方、上端に設けた吊車のローラを配線盤に沿わせて設けた案内レールに転動自在に載置して成り、車輪とローラの転動を利用して配線盤に沿って自在に位置を変えて、配線盤の所望個所の作業を行うようにした作業用梯子は従来から知られている（例えば、特許文献１）。
【０００３】
【特許文献１】特開平８−３３６１６８号公報
【考案の開示】
【考案が解決しようとする課題】
【０００４】
前記従来の作業用梯子は、配線盤の横方向に関して車輪とローラの転動によって、また、上下（高さ）方向に於いては作業員自らの上り下りによって目的の作業個所へ移動するために用いるのであるが、上り下り動作業時に足を踏みはずしたり、殊に、作業中の人や台車等の衝接によって意図しない動きが生じ、落下事故が増え、その対策が要求されている。
【０００５】
本考案は斯様な要求に答え、安全性の高い作業用梯子を提供することを目的として創案したものである。
【課題を解決するための手段】
【０００６】
床面上を走行する車輪で支持させる一方、上端に設けた吊車のローラを配線盤に沿わせて設けた案内レールに転動自在に載置した、電話局の配線盤作業用梯子において、横木を支持する左右一対の主体杆の上部各々に取付け具を組付け、該取付け具に着脱自在に取付けた掛止片と作業員の胴部ベルトに着脱自在に取付ける接続片の一方側を、緊急ロック式の巻取り器本体に、他方側を、該巻取り器に引き出し自在に巻取り収納させ、しかも、前記主体杆の長手方向に沿わせて設けた手すりの内側に配せられるベルトの前記巻取り器より突出する先端にそれぞれ設けた構成とするのである。
【０００７】
なお、ここで緊急ロック式巻取り器とは、巻取り器本体に巻取り収納したベルトを急速に引き出したとき、その急速（激）な引き出し荷重によってベルトの巻取り器本体からの引き出しが規制されるようにした、ベルト（乃至紐）を巻取り自在に組付けたものをいう（例えば、特開平６−３１００８号公報）。
【考案の効果】
【０００８】
本考案によれば、何等かの原因で梯子の横木（踏み板）から落下しても、緊急ロック式の巻取り器のベルトによって床面上への落下を防ぐことができることは勿論、左右２本のベルトで支えられ、しかも、手すりの内側に配したベルトで支えられるから、左右の一側に偏した落下を可及的に防ぎ、従って、落下しても比較的安全な落下で済ますことのできる配線盤作業用梯子を提供できる。
【実施例】
【０００９】
図面は本考案に係る配線盤作業用梯子の一実施例を示し、図１は略示正面図、図２は図１の平面図、図３は取付け具と梯子の関係を示す一部欠截拡大正面図である。
【００１０】
図中、１は本考案に係る配線盤作業用梯子Ａの梯子本体で、本体１は、左右それぞれに傾斜状に互いに平行させて配した前後一対の主体杆２，２、２´，２´に、横木（踏み板）３，…をその長手方向に沿わせて段階的に配して架設し、前主体杆２には枠体状の手すり１１を主体杆２，２´の並設方向に立設すると共に、主体杆２，２´の上端部に吊り車４を設けて該吊り車４のローラ４ａを配線盤Ｂに沿わせて設けた案内レールＲ上に転動自在に載置する一方、主体杆２，２´の下端部に床面上を転動する車輪５ａを備えたキャスター５を設けて、前記案内レールＲに沿って前記配線盤Ｂの近傍を自在に移動するようにしてある。
【００１１】
図中、６は、本体１の前記一対の前主体杆２，２の上部に組付けた取付け具で、取付け具６は、中央部片６ａの相対する両側に幅広い側部片６ｂと幅狭い側部片６ｂ´を相対設したコ形枠体で成り、側部片６ｂ，６ｂ´間に前記本体１の前主体杆２の上部を係合して組合わせ、側部片６ｂ，６ｂ´間に挿通させた一対の組付けボルト８，８とこれに螺合したナット９，９とで前記の係合状態を保持して主体枠２に着脱自在に組付けたものである。
【００１２】
この取付け具６の幅広い側部片６ｂには長孔１０を設け、該長孔１０に緊急ロック式の巻取り器１２に取付けた掛止金具１３（請求項でいう掛止片に対応）を着脱自在に取付け、巻取り器１２に引き出し自在に巻取り収納させたベルト１７の巻取り器１２より突出する先端には、作業員に装備した胴ベルト１８に着脱自在に掛止するフック１４（請求項でいう接続片に対応）を取付けてある。
【００１３】
なお、ベルト１７は、梯子本体１の、いずれの横木上での作業をしても不都合のない長さを備え、作業員が巻取り器１２に近接するに従って当該ベルト１７はその分巻取り器１２に自動的に巻き取られるようになっている。
【００１４】
そして、梯子本体１の手すり１１の内側に存するようにして巻取り器１２よりベルト１７を引き出し、その先端のフック１４を胴ベルト１８に掛止させ、梯子Ａ上での配線作業を行うのである。
【図面の簡単な説明】
【００１５】
【図１】略示正面図。
【図２】図１の平面図。
【図３】取付け具と梯子の関係を示す一部欠截拡大正面図。
【符号の説明】
【００１６】
２，２´    主体杆
３          横木
４          吊車
４ａ        ローラ
６          取付け具
１２        巻取り器
１３        掛止金具
１４        フック
１７        ベルト
１８        胴ベルト
【図１】
0003132590.tif 000003
【図２】
0003132590.tif 000004
【図３】
0003132590.tif 000005
(57)【要約】【課題】ボイドスラブのコンクリートを打設する際に、コンクリート打設時に浮き上がりと横移動することを防ぎ球体ボイドのコンクリートの上下かぶり厚を一致させる拘束治具（プロテクター）からなる移動防止金具を提供する。【解決手段】拘束治具の主構成は拘束鉄線とこの鉄線に包み込まれる1個の球体ボイドである。頂部押鉄線が上部両側から伸びていて、球体ボイドの頂部を押えつける。拘束治具の底部は弧状底鉄線があり、球体ボイドをしっかりと包み込む。球体ボイドを、頂部の押鉄線で上部をしっかりと押さえ、円弧側鉄線で横から包み込み、弧状底鉄線で下から緊密に支える。【選択図】  図１
0003132584.tif 000002
【実用新案登録請求の範囲】
【請求項１】
中空ボイドスラブ用の浮力防止金具の一種であり、１つの拘束治具は開いている口が上向きとなり、口から球体ボイドを入れ、拘束治具の下端の弧状底鉄線に球形ボイドを密着させることを特徴とする移動防止金具。
【請求項２】
前記拘束治具の鉄線は互いに溶接固定されていて浮力による浮上りを拘束することを特徴とする請求項１に記載の移動防止金具。
【考案の詳細な説明】
【技術分野】
【０００１】
本考案は「中空ボイドスラブ」領域に属する。コンクリート打設時に生ずる浮力と横力による球体ボイドの移動を拘束し上下のコンクリートかぶり厚を確保する拘束治具からなる移動防止金具である。
【背景技術】
【０００２】
中空ボイドスラブを施工する際に、球体ボイドが治具内で十分に拘束されてない状態でコンクリートを打設するのが業界で行われてきた方式である。しかるに、図６、図７にあるとおりコンクリート４を打設する際に生じる浮力Ｆ１と横力Ｆ２により、球体ボイドは拘束治具の緩みがあることから、浮き上がったり横移動したりした。平行繋鉄線より上に球体ボイド頂部が浮上る例も見られた。球体ボイド上下のコンクリートかぶり厚Ｌ１、Ｌ２が著しく不均等なる品質上の問題があった。それを防ぐため、本考案者は球体ボイドの移動防止専用の「拘束治具」を考案した。この新考案の拘束治具により、球体ボイドはしっかりと拘束され、コンクリート打設時に浮力や横力により移動することなく所定の位置に保ちスラブの品質を格段に向上させることが出来、上下のコンクリートかぶり厚を等しくすることが出来る。
【考案の開示】
【考案が解決しようとする課題】
【０００３】
本考案の目的は、球体ボイドをコンクリート打設時に生ずる浮力や横力に抗し所定の位置に拘束しコンクリートの上下かぶり厚の均一性を維持することにある。本考案のもう一つの目的がこの拘束治具の構造が簡単で製造しやすく、コストも低廉なため、中空ボイドスラブの生産コストが削減できることである。
【課題を解決するための手段】
【０００４】
本考案は、上に口を開いた拘束治具の上部の両側に頂部押鉄線があり、球体ボイドの頂部を所定の位置に上から押さえつける。さらに底部には従来のやり方にはない弧状でボイド底に密着する弧状底鉄線が両側で円弧側鉄線に溶接されている。したがって、弧状側鉄線、頂部押鉄線、弧状底鉄線の組み合わせで、球体ボイドは拘束治具に密着拘束され緩みがなく、所定のコンクリートかぶり厚を維持することが出来る。
【考案を実施するための最良の形態】
【０００５】
図１から図４までに示した通り本考案は中空スラブ専用の球体ボイドの移動防止専用拘束治具であり、中空ボイドスラブのコンクリート打設時の前作業に応用するものである。平行繋鉄線３に、複数の球体ボイド１を抱えた、拘束治具２が溶接されている。本考案の特徴は球体ボイド１と拘束治具２とがしっかりと密着し、緩みがないことである。
【０００６】
前述のごとく、拘束治具２の構成部品である1対の小円弧状の円弧側鉄線２１は球体ボイド１を両側から包み込みこんでいる。円弧側鉄線２１は球体ボイド１を横から拘束している。拘束治具２の下部部品である弧状底鉄線２２は球体ボイド１と同一半径を持つ弧状の鉄線で、左右の円弧側鉄線２１と最下部で溶接接合されている。球体ボイド１と1対の円弧状側鉄線２１及び弧状底鉄線２２は密着してゆるみがない。前述のごとく拘束治具２の上部部品である頂部押鉄線２３は両側から平面１１を押さえつけるように調整されていて球体ボイドに密着しており、安定的な拘束効果がある。
【０００７】
図にあるごとく、円弧側鉄線２１は上部で平行繋鉄線３に溶接固定されている、平行繋鉄線３が開かないよう留金物２４で平行繋鉄線の上から掛けて固定する。図５を参照して下さい。以上の構造によって拘束治具２の円弧側鉄線２１と弧状底鉄線２２及び上部開口側の頂部押鉄線２３とで球体ボイド１をしっかり拘束し緩みが無い。コンクリート打設時の球体ボイド１の浮上りと横移動が拘束され、上下のかぶり厚が均等に維持される。上述の詳細な説明は本考案の実例に即した具体例である。
【０００８】
この実施例が本考案の範囲を制限するものではない。相対効果の実施や変更が、本考案の技術及び技術コンセプトから離れない範囲ですべて本提案の特許範囲に含まれている。
【図面の簡単な説明】
【０００９】
【図１】本考案の移動防止金具の立体図
【図２】本考案の移動防止金具の平面図
【図３】本考案の移動防止金具の右立面図
【図４】本考案の移動防止金具の正面図
【図５】本考案の移動防止金具の応用図
【図６】実施例の立体図
【図７】実施の浮力と横力を受ける状態を示す図
【符号の説明】
【００１０】
１      球体ボイド
１１    平面
２      拘束治具
２１    円弧側鉄線
２２    弧状底鉄線
２３    頂部押鉄線
２４    留金物
３      平行繋鉄線
４      コンクリート
Ｆ１    浮力
Ｆ２    横力
Ｌ１    コンクリートかぶり厚
Ｌ２    コンクリートかぶり厚
【図１】
0003132584.tif 000003
【図２】
0003132584.tif 000004
【図３】
0003132584.tif 000005
【図４】
0003132584.tif 000006
【図５】
0003132584.tif 000007
【図６】
0003132584.tif 000008
【図７】
0003132584.tif 000009
(57)【要約】      （修正有）【課題】額装取付けに於いての簡易性の向上。【解決手段】額装取付けに際して壁面に損傷を与えず簡易に取付けることが出来る構造。額装上部に穴明き板状吊り具を設け押しピンにて壁面に設置する構造にする。【選択図】図３
0003132508.tif 000002
【実用新案登録請求の範囲】
【請求項１】
額装上部に設けた板状の穴明き吊り具
【考案の詳細な説明】
【考案の詳細な説明】
【技術分野】
【０００１】本考案は、額装取付け工事の簡易性を目的に考案されたものである。
【背景技術】
【０００２】従来現状、額装取付けには紐或いは釘、ネジ等を使い取付け工事工作が必要であり、壁面にネジ穴などの損傷を与える状況であった。本考案に類似する簡易取付け及び壁面損傷を減少させる目的の構造は存在しない。
【考案が解決しようとする課題】
【０００３】額装取付け工事の簡易性と取付け壁面の損傷減少及び優美性を目的にしたものである。
【課題を解決するための手段】
【０００４】上記目的を達成するために、本考案の額装背面上部に透明板状の穴明き吊り具を設け押しピンにて取付ける構造である。
【考案を実施するための最良の形態】
【０００５】次に、本考案の実施の形態を図面に従い説明する。
図１は、額装を紐で設置した従来の一般的状況の斜視図である。
図２においての図２−１は、本考案の板状の穴明き吊り具を額装に接合した状態の上面図、正面図、右側面図である。図２−２は板状の穴明き吊り具の正面図、側面図である。
図３においての図３−１は額装と板状吊り具の接合状況図、図３−２は押しピン取付け状況図、図３−３は額装取付け完了の斜視図である。
以下に、これら額装の取付けの詳細を説明する。【０００６】図１において、従来の額装取付けには紐或いは釘、ネジ等を使う工事工作が必要であり、壁面にネジ穴などの損傷を与える状況であった。更に、近年の住居内装壁面クロス材の下地板は耐火石膏ボードが多く素材の支持性に劣り釘、ネジでの締結が困難である。
本考案では図３−２のＣに示す押しピンを板状吊り具の穴に通し押し込んで壁に額装を設置するものである。
【考案の効果】
【０００７】押しピンを壁面に押し込むことで額装が簡易に設置できると共に設置壁面の損傷が著しく減少する。具体的には針状のピン穴のみの損傷となる。又額装の移動設置も同様である。且つ、透明板状吊り具及び押しピンの場合、透明板状吊り具は壁面色と同化され視覚的に額装品位が保持される。
【図面の簡単な説明】
【図１】従来の額装を紐にて設置した状況の斜視図
【図２】本考案の板状の穴明き吊り具を額装に接合した状態の上面図、正面図、右側面図及び板状の穴明き吊り具の正面図と側面図である。
【図３】考案の板状の穴明き吊り具と額装の接合状況斜視図、押しピン取付け状況の斜視図、額装取付け完了部分拡大の斜視図である
【記号の説明】
Ａ  板状穴明き吊り具
Ｂ  額装本体
Ｃ  押しピン
【図１】
0003132508.tif 000003
【図２】
0003132508.tif 000004
【図３】
0003132508.tif 000005
(57)【要約】【課題】本考案は、小動物の遺体を収納する時の、棺と装飾布が一体化したコンパクトな葬儀用品である。【解決手段】本考案は、一枚の平面な布からスナップボタン３の部分を圧着することにより四方の壁を形成し、箱状の棺が完成する。それによって、棺と装飾布が一体化された棺が出来上がり、小動物の遺体を収納できるコンパクトなセレモニーグッズとなる。これらにより、装飾された布に包まれ安らかに眠っているような感じを与え、飼い主の心を癒すことができる。【選択図】図１
0003132505.tif 000002
【実用新案登録請求の範囲】
【請求項１】
ペットの遺体を収納する為の物で、装飾布の中に型紙が収納されていて、使用時に組み立てることができ、コンパクトに運搬、保管することができるもので、通常時は一枚の平面状のものになっているが、小動物の遺体を収納するときには、その型紙の四方を折り曲げて、スナップで留めることにより、棺と装飾布が一体化された物が出来上がる製品。
【考案の詳細な説明】
【技術分野】
【０００１】  本考案は、装飾布と棺が一体化された、小動物の遺体を収納する簡易型の棺に関するものである。
【背景技術】
【０００２】小動物が死んだ時、すでに組み立てられている棺を購入し、その上にかぶせる装飾布も別々に購入していた。
【考案の開示】
【考案が解決しようとする課題】
【０００３】本考案は、装飾布の中に棺が収納された一枚の布であり、使用時に簡単に組み立てることができ、コンパクトに運搬、保管することができるもので、遺体を埋葬するときの労働的、経済的負担を解決しようとするものである。
【課題を解決するための手段】
【０００４】ペットの遺体を収納する時に、装飾布の中に箱状に組み立てられる型紙が収納されていて、通常時は一枚の平面状のものになっているが、その装飾布の四隅にボタンがついており、中の型紙を折り曲げて、ボタンを留めることにより、箱状の棺が形成でき、装飾布と一体化された棺が出来上がる。
【考案の効果】
【０００５】上述したように、従来、棺と装飾布は別々に購入していた物が一体化されていることにより経済的、労働的負担を解決できる。
【図面の簡単な説明】
【０００６】
【図１】本考案の小動物用簡易折りたたみ式棺収納装飾布の正面図である。
【図２】本装飾布の中の棺を折りたたんだ後の詳細図である。
【符号の説明】
【０００７】１  装飾布本体
２  収納箱
３  スナップボタン
【図１】
0003132505.tif 000003
【図２】
0003132505.tif 000004
(57)【要約】【課題】交通事故による死傷者を１人でも減らすため。【解決手段】自動車のフロントウインドウの上方にブレーキに連動した赤色発光ダイオードストッツランプ装置を装着する。【選択図】図１
0003132502.tif 000002
【実用新案登録請求の範囲】
【請求項１】
自動車のフロントガラスの内側上部に一列上に赤色発光ダイオードのランプを配置し、ブレーキ操作に連動して点灯する装置・器具
【考案の詳細な説明】
【技術分野】
【０００１】本実用新案は、自動車のフロントガラス上部内側にブレーキと連動した赤色発光ダイオードランプを一列に配置し、運転者の情報（意志）を伝えることが出来る。このことにより運転者と歩行者間に明確で双方向な意志伝達をすることが出来、交通事故減少に寄与できる装置・器具である。
【背景技術】
【０００２】今まで、自動車のフロントにストップランプを付けたものはなかった。
【考案の開示】
【考案者が解決しようとする課題】
【０００３】１  横断歩道を渡ろうとする歩行者は、左右からくる自動車が止まるどおか確認（自動車のスピードが減速する。運転する者の目を見る。）した上で渡っている。この装置を付ける事により、自動車が止まるかどおか子供、老人に関わらず容易に判断できる。特に夜間に威力を発揮する。
２  信号待ちにより自動車を停車させる時、後から来る自動車が止まるかどおかが容易に判断できる。もし追突されそうな場合身構える等の防御体制を取ることが出来る。特に緊急停車しなければならない時に威力を発揮する。
３  運転者が前方の自動車、歩行者に運転者の意志（停止する）を明確に伝えることが出来る。「私は止まりますよ」との意志を明確に伝えることが出来る。
【課題を解決するための手段】
【０００４】自動車の前方、フロントウインドウの内側上方に一列状の赤色発光ダイオードランプの装置・器具を付ける。
【考案効果】
【０００５】交通弱者である老人、子供、障害者の死傷者が確実に減少する。
【実施例】１
【図面の簡単な説明】
【０００６】
【図１】自動車前面、フロントストップランプの装着を示した平面図である。
【符号の説明】
【０００７】１  赤色発光ダイオードストップランプの位置（ウインドの内側）
【図１】
0003132502.tif 000003
(57)【要約】      （修正有）【課題】結婚式のセレモニー時に、花嫁のベールの裾を持つフラワー・ボーイ及びフラワー・ガールに必要な幼児の結婚式用ケープを提供する。【解決手段】複数の羽根３を設けた装飾体２とハート形状を施した小装飾体４をケープの背部に設けた結婚式ケープである。【選択図】図２
0003132503.tif 000002
【実用新案登録請求の範囲】
【請求項１】
複数の羽根を設けた装飾体とハート形状からなる小装飾体をケープの背部に設けたことを特徴とする結婚式用ケープ。
【考案の詳細な説明】
【技術分野】
【０００１】本考案は結婚式のセレモニー時に、花嫁のベールの裾を持つフラワー・ボーイ及びフラワー・ガールに必要な、幼児の結婚式用ケープに関するものである。
【背景技術】
【０００２】従来、結婚式でのフラワー・ボーイ及びフラワー・ガールの服装は、それぞれの親族がその子どもに合った服を用意している。一般的に、男児はスーツ、女児はワンピースが多い。
【考案の開示】
【考案が解決しようとする課題】
【０００３】そのために、次のような問題点があった。
新郎新婦に付き添うフラワー・ボーイのスーツ、フラワー・ガールのワンピースは、華やかな場所に合わせて、新たに作るとか、市販の高価な洋服を購入することが一般的である。したがって、参加者には大きな経済的負担をもたらしていた。
また、フラワー・ボーイ、フラワー・ガールは単にスーツ、ワンピースの服装であるので、華やかなドレスを着飾った新婦に対して、その場の一体感を損ねている嫌いがあった。
上記の問題を解決するために考案した結婚式用ケープである。
【課題を解決するための手段】
【０００４】複数の羽根（３）を設けた装飾体（２）とハート形状を施した小装飾体（４）をケープの背部に設けたことを特徴とする結婚式ケープである。
【考案の効果】
【０００５】エンジェルのケープを着用することによりフォーマルウェアーでありながら、ケープの下は軽装（普段着）で良いので、高価なスーツ、ワンピースなどを新たに購入する必要もない。親族の経済的負担が軽くなる。また、新婦のドレスにマッチしたケープを子どもたちがつけているので、格調高い結婚式の雰囲気を演出できる。
【考案を実施するための最良の形態】
【０００６】以下、本発明の実施の形態を説明する。
（イ）ケープ（１）の背部に羽根を広げた形状の装飾体（２）を設ける。
（ロ）上記の装飾体（２）の表面・裏面にエンジェルの羽根（３）を複数設け、中央部にハート形状の小装飾体（４）を設けて、ケープ（１）に縫着する。
本考案は、以上の構成からなるもので、以下、使用法について説明する。
子どもたちのスーツ、またはドレスにケープ（１）をかけ、ずり落ちないように首にリボン（５）で結び止める。
このように装着して、子どもたちが新婦のロングベール（６）の裾を持つことによって、式の参列者が後方から後ろ姿を見たときに、新婦のドレスとエンジェル化した装飾体がマッチして、その場の雰囲気を格調高くする。
単に、スーツやドレスの肩に掛けるだけであるので、高価なスーツ、ドレスを購入しなくても、結婚式場の雰囲気を華やかで格調高いものとして演出できる。
なお、素材については、布製の柔らかいものを使用することで安全性も保たれる。
また、装飾体（２）の羽根（３）部分を白、オフホワイト、ピンク・ブルーに変えたケープも実施できることは当然である。
【図面の簡単な説明】
【０００７】
【図１】本考案の前面図
【図２】本考案の背面図
【図３】本考案の斜視図
【図４】本考案の使用状態を示す斜視図
【符号の説明】
【０００８】１  ケープ
２  装飾体
３  羽根
４  小装飾体
５  リボン
６  ロングベール
【図１】
0003132503.tif 000003
【図２】
0003132503.tif 000004
【図３】
0003132503.tif 000005
【図４】
0003132503.tif 000006
(57)【要約】      （修正有）【課題】パーソナルコンピュータ（インターネット端末）のワード変換（ローマ字カナ変換）のマンマシンインターフェイス向上を計ったキーボード（タブレット）のキーを構成するワード変換。【解決手段】従来のパーソナルコンピュータ（インターネット端末）１のキーボード（タブレット）２を構成するキー表示部３の「Ｎ」に追加した「ＮＮ＝ン」の表示によりマンマシンインターフェイス向上を計ったワード変換。【選択図】図１
0003132509.tif 000002
【実用新案登録請求の範囲】
【請求項１】
ローマ字カナ変換のキーボードに於けるＮを２回打つ（押し下げる）キーにより「ン」と変換するために、キーボードのキーの表示文字を「ＮＮ＝ン」と追加表示したキーボード（タブレット）を有する事を特徴とするパーソナルコンピュータ（インターネット端末）。
【考案の詳細な説明】
【技術分野】
【０００１】
本考案は、従来のワード変換「ＮＮ＝ン」としてのキーボード（タブレット）を有したパーソナルコンピュータ（インターネット端末）に関する。
【背景技術】
【０００２】
パーソナルコンピュータ（インターネット端末）のローマ字カナ変換のキーボード（タブレット）は、キー表示部にローマ字（アルファニューメリック）カナでオペレートされるよう文字表示してあるものである。
【考案の開示】
【考案が解決しようとする課題】
【０００３】
しかしながら、ローマ字カナ変換のカナ「ン」を創るためにはローマ字「Ｎ」を２度押し下げるオペレートが必要でありキー表示部表示と異なっていた。
【０００４】
本考案は、上記実情に鑑みてなされたものであり、キーボードのキーの表示部にローマ字カナ変換のマンマシンインターフェイス向上を計る文字表示を追加する事を目的としている。
【課題を解決するための手段】
【０００５】
上記目的を達成するため考案は、マンマシンインターフェイス向上のために次の構成を含むことを特徴としている。
従来のキーボード表示部のローマ字カナ表示に追加した「ＮＮ＝ン」のローマ字カナ文字をニューメリック「＝」で意味を著す表示をするものである。
【考案の効果】
【０００６】
本考案によりキーボード（タブレット）のキー表示部のローマ字アルファニューメリックカナに「ＮＮ＝ン」を追加したオペレートでマンマシンインターフェイス向上を計ったパーソナルコンピュータ（インターネット端末）を得ることができる。
【考案を実施するための最良の形態】
【０００７】
本考案の実施の形態の一例について、図面を参照しながら説明する。
ワード変換「ＮＮ＝ン」は、図１に示すようにパーソナルコンピュータ（インターネット端末）１、オペレートするキーボード（タブレット）２のキー表示部、３の従来の「Ｎ」に追加した「ＮＮ＝ン」表示のキーを有する構成である。
【図面の簡単な説明】
【０００８】
【図１】本考案のワード変換「ＮＮ＝ン」の実施の形態の一例を示す図である。
【符号の説明】
【０００９】
１        パーソナルコンピュータ（インターネット端末）
２        キーボード（タブレット）
３        キー表示部（ＮＮ＝ンの追加表示部）拡大部
【図１】
0003132509.tif 000003
【手続補正書】
【提出日】平成19年3月23日(2007.3.23)
【手続補正１】
【補正対象書類名】実用新案登録請求の範囲
【補正対象項目名】全文
【補正方法】変更
【補正の内容】
【実用新案登録請求の範囲】
【請求項１】
ローマ字カナ変換のキーボードに於けるＮを２回押し下げるキー操作により「ン」と変換するために、キーボードのキーの表示文字を「ＮＮ＝ン」と追加表示したキーボード・タブレットを有する事を特徴とするパーソナルコンピュータインターネット端末。
(57)【要約】【課題】  外気を取り込みながら、除菌害虫駆除ができるハウス用、袋型フィルターを提供する。【解決手段】  ハウス用吸気扇の室内側に袋型フィルターを取り付け、適度の除菌液、害虫駆除液を袋型フィルターにかけることで、外気をとり込みながら除菌と害虫駆除ができる。【選択図】図１
0003132521.tif 000002
【実用新案登録請求の範囲】
【請求項１】
ハウス用吸気扇に袋型フィルターを組み合わせることで、除菌害虫駆除のできる、袋型フィルター。
【考案の詳細な説明】
【技術分野】
【０００１】本考案は、ハウスに取り付け可能な吸気扇で外気を取り込みながら、除菌害虫駆除ができる、袋型フィルターに関する。
【背景技術】
【０００２】  従来の吸気扇では、外気側にフィルターを付けていた、図３。
【考案の開示】
【考案が解決しようとする課題】
【０００３】  しかし、これでは、除菌害虫駆除効率を高めるためには、除菌害虫駆除液をフィルターにかけた時、面積が狭く外気を取り込む時に空気が通りにくい場合がある。又、吸気扇のファンに、除菌害虫駆除液がかかり飛散して不便である。【０００４】  この考案は、ハウスに取り付け可能な、吸気扇に袋型フィルターを組み合わせて外気を取り込みながら除菌と害虫を駆除することを目的とする。
【課題を解決する手段】
【０００５】  上記目的を達成するために本考案の、除菌害虫駆除袋型フィルター付吸気扇は、吸気扇の室内側に袋型フィルターを取り付けるための、窪みの付いたパイプを設け、袋型フィルターをパイプに付けることを考案した、図２。
袋型フィルターのサイズはハウスの面積に見合ったものにする。
【考案の効果】
【０００６】  この袋型フィルターに除菌害虫駆除液をかけることができ、目詰りは減少して空気の通りがよいのである。
【０００７】  よって、本考案のハウス用、除菌害虫駆除袋型フィルター付吸気扇により、適度の除菌害虫駆除液のかかった袋型フィルターを通過した空気は除菌と害虫を駆除することができる。
【考案を実施するための最良の形態】
【０００８】  本考案に係る、ハウス用除菌害虫駆除袋型フィルター２は、図２に示すように、吸気扇のパイプの窪み部分へ取り付け可能に形成されて、バンドで締め付けることができる。
袋型フィルターの、網の目は害虫のくずが漏れない程度にする。
【図面の簡単な説明】
【０００９】
【図１】  本考案に係わる、ハウス用除菌害虫駆除袋型フィルターを吸気扇に使用した状態の図面である。
【図２】  断面図である。
【図３】  従来の吸気扇に付いて使用されているフィルターである。
【符号の説明】
【００１０】  １    吸気扇
２    袋型フィルター
３    パイプ
【図１】
0003132521.tif 000003
【図２】
0003132521.tif 000004
【図３】
0003132521.tif 000005